(57)【要約】      （修正有）【課題】適切な調節力を備えユーザー自身が角度を調節できる回転底台座を提供する。【解決手段】回転緩急度を調節可能な回転底台座は、一つの転盤、一つの座体が包括され、少なくとも一つの連接可能な物件および一つの弾性物件が含まれる。転盤には転軸が設けられ、座体には転軸孔があり、転軸に転軸孔を突き抜けさせ、その間の回転をさせることができる。【選択図】図４
0003153383.tif 000002
【実用新案登録請求の範囲】
【請求項１】
一種の回転緩急度を調節可能な回転底台座であって、
座体と、
一つの転軸を設けた一つの転盤と、
調節可能な連接物件と、を少なくとも有し、
前記座体には転軸孔を設けてあり、前記転軸を当該転軸孔に貫通させその間で回転可能に構成し、
前記連接物件は、前記転盤に連結し且つ一つの弾性物件を当該連接物件で連結することで挟む力を生み、前記座体が当該転盤と当該該弾性物件との間で挟まれることを特徴とする、
一種の回転緩急度を調節可能な回転底台座。
【請求項２】
請求項１に記載の一種の回転緩急度を調節可能な回転底台座において、前記弾性物件は一つの弾片であることを特徴とする、一種の回転緩急度を調節可能な回転底台座。
【請求項３】
請求項２に記載の一種の回転緩急度を調節可能な回転底台座において、前記断片は、一平面部で少なくとも一つの連接孔を有し、且つ当該の平面部の縁で当該平面部から角度を持たせた複数の脚座を有することを特徴とする、一種の回転緩急度を調節可能な回転底台座。
【請求項４】
請求項３に記載の一種の回転緩急度を調節可能な回転底台座において、前記転軸内には少なくとも一つのネジ孔を有することを特徴とする、一種の回転緩急度を調節可能な回転底台座。
【請求項５】
請求項４に記載の一種の回転緩急度を調節可能な回転底台座において、前記調節可能な連接物件はネジであって、前記連接孔を貫通しネジ孔を穿つものであることを特徴とする、一種の回転緩急度を調節可能な回転底台座。
【請求項６】
請求項１に記載の一種の回転緩急度を調節可能な回転底台座において、さらに一つのワッシャーを含み、当該ワッシャーは前記座体と前記弾性物件の間にあって前記弾性物件が生み出す挟む力をその座体に平均して分布させることを特徴とする、一種の回転緩急度を調節可能な回転底台座。
【考案の詳細な説明】
【技術分野】
【０００１】
本考案は一種の回転緩急度を調節可能な回転底台座に関係しており、特に電子製品に具備される回転緩急度を調節可能な回転底台座である。
【背景技術】
【０００２】
コンピュータ、テレビ、テレビ電話などの情報製品などの電子製品は、ユーザーが好きな角度に調節できるようにするため、その底座の設計に回転機能が施されていた。例えば、台湾特許公告第４５０４９９号の「安定可能な家電製品の回転底台座（Ｒｏｔａｒｙ  ｓｔａｎｄ  ｔｈａｔ  ｃａｎ  ｓｔａｂｌｙ  ｌｏａｄｓ  ｔｈｅ  ｈｏｍｅ  ｅｌｅｃｔｒｏｎｉｃ  ｅｑｕｉｐｍｅｎｔ）」などがそうだが、その分解立体斜視図は第１図で示したとおりである。スクリーン１０とスクリーン基座１２を組み合わせた後、前フック１２１０および後フック１２１２をそれぞれ回転底台座２０のフック固定孔２０１０と２０１２に嵌め込んで、回転底台座２０を通じて回転機能を与える。
【０００３】
第２図では回転底台座２０の局部断面図の拡大図を示しており、上底座２１０と下底座２２０で組成されている。上底座２１０にはフックさや２１２が設けられ、下底座２２０には孔２２２がある。上底座２１０と下底座２２０が結合する時、フックさや２１２は孔２２２を後向に貫通して外に拡張し、上底座２１０と下底座２２０を緊密に結合させているが、これもスクリーン１０、スクリーン基座１２を回転底台座２０に安定させるものである。
【考案の開示】
【考案が解決しようとする課題】
【０００４】
前述した従来の回転底台座２０は回転する時、個人の好みや習慣に即してその緩急の程度（その回転速度）を調節することは出来ず、往々にして過度にきついかゆるいかの状態が生じて使用上の不便を生み出している。いわば、伝統的な電子製品の回転底台座は、その回転時の緩急の度合いは製作時に限定されており、ユーザーが長期的に使用するなかで、回転底台座に緩みを生じてしまい、往々にして回転效率に影響するため、回転過多の減少を生んでしまう。この状況に鑑み、本考案は回転緩急度を調節可能な回転底台座を提供する。
【０００５】
本考案の目的は一種の回転底台座を提出することで、特に一種の適切な調節力を備えユーザー自身が角度を調節できる回転底台座を指す。
【課題を解決するための手段】
【０００６】
上述の目的によると、本考案は一種の回転緩急度を調節可能な回転底台座で、そこには一つの転盤、一つの座体が包括され、少なくとも一つの調節可能な連接物件および一つの弾性物件が包括される。そのなかの転盤には転軸が設けられ、座体には転軸孔が設けられ、転軸に軸孔を貫き、その間での回転を可能としている。調節可能な連接物件は転盤に連結され、弾性物件にはさむ力を生じさせ、座体が転盤と弾性物件の間で挟まれることで、さらに一種の適切な調節力を備え、ユーザー自身がその角度を調節できる回転底台座とする。
【０００７】
すなわち、本願の第１考案は、一種の回転緩急度を調節可能な回転底台座であって、座体と、一つの転軸を設けた一つの転盤と、調節可能な連接物件と、を少なくとも有し、前記座体には転軸孔を設けてあり、前記転軸を当該転軸孔に貫通させその間で回転可能に構成し、前記連接物件は、前記転盤に連結し且つ一つの弾性物件を当該連接物件で連結することで挟む力を生み、前記座体が当該転盤と当該該弾性物件との間で挟まれることを特徴とする、一種の回転緩急度を調節可能な回転底台座であることを要旨としている。
【０００８】
また、本願の第２考案は、本願の第１考案に記載の一種の回転緩急度を調節可能な回転底台座において、前記弾性物件は一つの弾片であることを特徴とする、一種の回転緩急度を調節可能な回転底台座であることを要旨としている。
【０００９】
また、本願の第３考案は、本願の第２考案に記載の一種の回転緩急度を調節可能な回転底台座において、前記断片は、一平面部で少なくとも一つの連接孔を有し、且つ当該の平面部の縁で当該平面部から角度を持たせた複数の脚座を有することを特徴とする、一種の回転緩急度を調節可能な回転底台座であることを要旨としている。
【００１０】
また、本願の第４考案は、本願の第３考案に記載の一種の回転緩急度を調節可能な回転底台座において、前記転軸内には少なくとも一つのネジ孔を有することを特徴とする、一種の回転緩急度を調節可能な回転底台座であることを要旨としている。
【００１１】
また、本願の第５考案は、本願の第４考案に記載の一種の回転緩急度を調節可能な回転底台座において、前記調節可能な連接物件はネジであって、前記連接孔を貫通しネジ孔を穿つものであることを特徴とする、一種の回転緩急度を調節可能な回転底台座であることを要旨としている。
【００１２】
また、本願の第６考案は、本願の第１考案に記載の一種の回転緩急度を調節可能な回転底台座において、さらに一つのワッシャーを含み、当該ワッシャーは前記座体と前記弾性物件の間にあって前記弾性物件が生み出す挟む力をその座体に平均して分布させることを特徴とする、一種の回転緩急度を調節可能な回転底台座であることを要旨としている。
【考案の効果】
【００１３】
本考案によれば、特に一種の適切な調節力を備えユーザー自身が角度を調節できる回転底台座を得ることができる。
【図面の簡単な説明】
【００１４】
【図１】従来の回転底台座の一例を示す分解立体斜視図。
【図２】従来の回転底台座の局部断面図の拡大図。
【図３】本考案の回転底台座の実施例における外観斜視図。
【図４】本考案の回転底台座の実施例における分解立体斜視図。
【図５】本考案の回転底台座の実施例における上面図。
【図６】本考案の回転底台座の他の実施例における上面図。
【考案を実施するための形態】
【００１５】
以下、添付図面を参照して本考案の好適な実施の形態を詳細に示す。
なお、以下で述べるものは、本考案の比較的良好な実施例に過ぎず、本考案の実用新案登録請求の範囲を限定するものではない。およそ考案の精神から離れない部分で完成された同等の変更あるいは修飾については、実用新案登録請求の範囲内にあるものとする。
【００１６】
第３図で示すのは本考案の実施例における外観の斜視図で、回転底台座のインターネット電話機を具えており、ここには転盤４０、座体（４１、４５）、スクリーン３０および受話器３２を具えている。当該の転盤４０は当該座体（４１、４５）に設けられ、座体（４１、４５）上で回転する。そしてスクリーン３０は枢接で転盤４０上にあり、転盤４０上で適切な仰角あるいは俯角にて調節でき、またスクリーン３０と転盤４０を同時に座体（４１、４５）に相対させ、時計回り、あるいは逆回りの回転を実現する（図式中の矢印が示す方向）ことで、ユーザーがその適切な視覚角度に調節することを補助する。電話の受話器３２を座体（４１、４５）のもう一端の上面に設ける。
【００１７】
本実施例のなかで、座体（４１、４５）は上座体４１および下座体４５で組成されるが、下座体４５を省くこともでき、上座体４１のみでの使用も可能である。
【００１８】
このほか、転盤４０上にプッシュホン３１を設けることもできる。ここではネット電話を実施例にしているが、そのほかの通信、家電などの電子製品、例えばコンピュータ、テレビ、テレビ電話などでも使用可能である。
【００１９】
第４図で示す第３図の部分は組成の分解立体斜視図で、一つの転盤４０、一つの上座体４１、一つの弾性物件４３が含まれ、少なくとも調節可能な連接物件４４および一ワッシャー４２が含まれる。
【００２０】
転盤４０の底部突起には転軸４０１０が設けられ、本実施例中で中空状の一円柱体となっている。転軸４０１０内には少なくともネジ孔４０２０が設けられ、調節可能な連接物件４４との連接と固定に供される。しかしネジ孔４０２０の設置位置は転軸４０１０の内部に限定しない。
【００２１】
上座体４１に転軸孔４１１２を設け、その内径は転軸４０１０の外径より大きく、転軸４０１０に転軸孔４１１２を貫通させ、その間で回転させるが横向きには移動させない。本実施例の中で、上座体４１には一対の弧形切槽４１１４が設けられ、制限転盤４０の回転角度を決する。
【００２２】
弾性物件４３は転軸孔４１１２の下方にあり、はさむ力（あるいは正向の力）に向けられ、上座体４１を転盤４０と弾性物件４３の間に挟む。本実施例の中で、弾性物件４３は弾片で、主に平面部４３２０、およびその周辺の脚座４３１０を備え、当該脚座４３１０と平面部４３２０はそれぞれの角度を有している。
調節可能な連接物件４４は、連接および調節可能な性能を併せ持ち、本実施例中ではネジだが、実際はその限りではない。調節可能な連接物件４４の数量は平面部４３２０の連接孔４３３０の数量に対応する。
【００２３】
ワッシャー４２は上座体４１と弾性物件４３の間に設けられる。本実施例中で、ワッシャー４２は一つの孔で、当該ワッシャー４２の孔の内径は脚座４３１０の外縁より小さいが、ワッシャー４２の孔は平面部４３２０の連接孔４３３０の区域より大きい。
【００２４】
本実施例は一例を示しているが、使用時に一つ、あるいは多くの調節可能な連接物件４４（例えばネジ）で弾性物件４３の平面部４３２０表面の連接孔４３３０を連結して転軸４０１０内に設けたネジ孔４０２０の内部につなげることもある。この時、調節可能な連接物件４４は脚座４３１０に弾性変形させてはさむ力を生み出す。調節可能な連接物件４４をネジ孔４０２０に埋め込む深淺あるいはネジ目の数が脚座４３１０の変形の大小に影響し、挟む力の大小を決する。
【００２５】
前記説明した挟む力は転盤４０と上座体４１の間で摩擦力に転じられ、弾性物件４３を経て生み出された摩擦力が調節転盤４０で回転に変えられ、緩急度あるいは回転速度はユーザーが回転調節転盤４０を動かすことで楽に得られる。上述の上座体４１と弾性物件４３の間に設けられたワッシャー４２は、脚座４３１０で生まれた挟む力をより均等に上座体４１に分布させる。上座体４１の凹部に設けられた弧形切槽４１１４は転盤４０の回転角度の制限に用いられ、ユーザーの操作過多によって内部が受ける破損を回避させている。
【００２６】
第５図で示した本実施例の俯瞰上面図は観察に便宜を図るもので、詳細は省略している。上座体４１は円錐形状の輪廓を備え、転盤４０は上座体４１に相対して時計回り、あるいは逆周りで回転する（図式中に矢印で示した）。この図式は透視の方法で弾性物件４３の連接を表示した後、ワッシャー４２と転軸４０１０の間の関係も示している。
【００２７】
第６図はもう一つの実施例の上面図で、その上座体４１は円形輪廓を有している。この図式は同樣に弾性物件４３、ワッシャー４２と転軸４０１０の間の関係を示している。
【符号の説明】
【００２８】
１０        スクリーン
１２        スクリーン基座
１２１０    前フック
１２１２    後フック
２０        回転底台座
２０１０    フック固定孔
２０１２    フック固定孔
２１０      上底座
２１２      フックさや
２２０      下底座
２２２      孔
３０        スクリーン
３１        プッシュホン
３２        電話受話器
４０        転盤
４０１０    転軸
４０２０    ネジ孔
４１        上座体
４１１２    転軸孔
４１１４    弧形切槽
４２        ワッシャー
４３        弾性物件
４３１０    脚座
４３２０    平面部
４３３０    連接孔
４４        調節可能な連接物件
４５        下座体
【図１】
0003153383.tif 000003
【図２】
0003153383.tif 000004
【図３】
0003153383.tif 000005
【図４】
0003153383.tif 000006
【図５】
0003153383.tif 000007
【図６】
0003153383.tif 000008